(57)【要約】多数のサムネイル画像からなるメニュー画面を見易くするとともに、サムネイル画像を選択する際の操作性を向上させた携帯情報端末を提供する。仮想空間内に多数のサムネイル画像１２を同一方向に向けて立体配置し、これらのサムネイル画像１２を斜め方向から見ているようにサムネイル画面３ａ上に表示するサムネイルメニュー表示部２２と、タッチパッド８のパッド面に対するスライド操作を検出するスライド操作検出部２３と、スライド操作に基づいて、サムネイル画面３ａ上でポインタ１４を移動させるポインタ表示部２４と、ユーザによる決定操作に基づいて、ポインタ１４が位置するサムネイル画像１２を選択するサムネイル選択部２６により構成される。
2010050382.tif 000002
【特許請求の範囲】
【請求項１】
仮想空間内に多数のサムネイル画像を同一方向に向けて立体配置し、これらのサムネイル画像を斜め方向から見ているようにメニュー画面上に表示するサムネイルメニュー表示手段と、
パッド面に対するスライド操作を検出するスライド操作検出手段と、
上記スライド操作に基づいて、上記メニュー画面上でポインタを移動させるポインタ表示手段と、
ユーザによる決定操作に基づいて、上記ポインタが位置するサムネイル画像を選択するサムネイル選択手段とを備えたことを特徴とする携帯情報端末。
【請求項２】
表示中のサムネイル画像を上記仮想空間内で前後方向に移動させて上記メニュー画面をスクロールさせるメニュー画面スクロール手段を備え、
上記サムネイルメニュー表示手段が、最後段のサムネイル画像の背後に最前段のサムネイル画像を表示することを特徴とする請求項１に記載の携帯情報端末。
【請求項３】
上記メニュー画面が表示されるディスプレイと、
上記ディスプレイが縦長状態であるか、或いは、横長状態であるかを判別する端末状態判別手段とを備え、
上記サムネイルメニュー表示手段が、上記端末状態判別手段による判別結果に基づいて前後段のサムネイル画像間の間隔を調整することを特徴とする請求項１に記載の携帯情報端末。
【請求項４】
上記サムネイルメニュー表示手段が、ユーザ操作に基づいて、最前段に表示中のサムネイル画像をサイズ調整することを特徴とする請求項１に記載の携帯情報端末。
【請求項５】
上記サムネイルメニュー表示手段が、共通の背景プレートをそれぞれ付加して各サムネイル画像を表示する際に、最前段に表示中のサムネイル画像については上記背景プレートの中央に配置し、２段目以降に表示中のサムネイル画像については上記背景プレートの端部に寄せて配置することを特徴とする請求項１に記載の携帯情報端末。
【請求項６】
上記サムネイル選択手段によって選択されたサムネイル画像をフォーカス表示するフォーカス表示手段を備え、
上記サムネイルメニュー表示手段は、フォーカス表示されたサムネイル画像が手前側に来るように視点を変更することを特徴とする請求項１に記載の携帯情報端末。
【請求項７】
仮想空間内に多数のサムネイル画像を同一方向に向けて立体配置し、これらのサムネイル画像を斜め方向から見ているようにメニュー画面上に表示するサムネイルメニュー表示手段と、
上記メニュー画面に対するタッチ操作を検出するタッチ操作検出手段と、
上記タッチ操作の検出結果に基づいて、サムネイル画像を選択するサムネイル選択手段とを備えたことを特徴とする携帯情報端末。
【発明の詳細な説明】
【技術分野】
【０００１】
本発明は、携帯情報端末に係り、さらに詳しくは、多数のサムネイル画像をメニュー画面上に表示する携帯情報端末の改良に関する。
【背景技術】
【０００２】
データファイルに関連付けて作成された縮小画像をサムネイル画像として予め登録しておくことにより、データファイルを選択させるメニュー画面上に選択項目としてサムネイル画像を表示することが従来から行われている。例えば、特許文献１には、上下左右方向に同一カテゴリーのサムネイル画像を配列し、奥行き方向に異なるカテゴリーのサムネイル画像を配置する技術が開示されている。この特許文献１に記載の情報閲覧装置は、カテゴリーの異なるデータファイルのサムネイル画像を奥行き方向に階層を異ならせて表示することによって、複数のカテゴリーのサムネイル画像からなるメニュー画面を見易くしている。【０００３】
しかしながら、方向キーを操作して直接に選択できるのは最も手前側の階層のサムネイル画像だけであり、他の階層のサムネイル画像を選択するには、メニュー画面を奥行き方向にスクロールさせなければならず、操作性が良くないという問題があった。
【特許文献１】特開２００６−３０１８７１号公報
【発明の開示】
【発明が解決しようとする課題】
【０００４】
本発明は、上記事情に鑑みてなされたものであり、多数のサムネイル画像からなるメニュー画面を見易くするとともに、サムネイル画像を選択する際の操作性を向上させた携帯情報端末を提供することを目的としている。特に、仮想空間内に同一方向に向けて立体配置されたサムネイル画像を斜め方向から見ているようにメニュー画面上に表示し、最前段だけでなく２段目以降に表示中のサムネイル画像を直接に選択することができる携帯情報端末を提供することを目的としている。
【課題を解決するための手段】
【０００５】
第１の本発明による携帯情報端末は、仮想空間内に多数のサムネイル画像を同一方向に向けて立体配置し、これらのサムネイル画像を斜め方向から見ているようにメニュー画面上に表示するサムネイルメニュー表示手段と、パッド面に対するスライド操作を検出するスライド操作検出手段と、上記スライド操作に基づいて、上記メニュー画面上でポインタを移動させるポインタ表示手段と、ユーザによる決定操作に基づいて、上記ポインタが位置するサムネイル画像を選択するサムネイル選択手段とを備えて構成される。【０００６】
この様な構成によれば、仮想空間内に同一方向に向けて立体配置されたサムネイル画像が斜め方向から見ているようにメニュー画面上に表示されるので、多数のサムネイル画像からなるメニュー画面を見易くすることができる。さらに、パッド面に対してスライド操作することによってポインタを所望の位置に移動させて、決定操作すれば、ポインタが位置するサムネイル画像を選択することができるので、最前段だけでなく２段目以降に表示中のサムネイル画像を直接に選択することができる。従って、メニュー画面上でサムネイル画像を選択する際の操作性を向上させることができる。【０００７】
第２の本発明による携帯情報端末は、上記構成に加え、表示中のサムネイル画像を上記仮想空間内で前後方向に移動させて上記メニュー画面をスクロールさせるメニュー画面スクロール手段を備え、上記サムネイルメニュー表示手段が、最後段のサムネイル画像の背後に最前段のサムネイル画像を表示するように構成される。この様な構成によれば、最後段のサムネイル画像の背後には最前段のサムネイル画像が表示されるので、最後段付近のサムネイル画像が表示されている状態から最前段のサムネイル画像を表示させる際の操作性を向上させることができる。【０００８】
第３の本発明による携帯情報端末は、上記構成に加え、上記メニュー画面が表示されるディスプレイと、上記ディスプレイが縦長状態であるか、或いは、横長状態であるかを判別する端末状態判別手段とを備え、上記サムネイルメニュー表示手段が、上記端末状態判別手段による判別結果に基づいて前後段のサムネイル画像間の間隔を調整するように構成される。この様な構成によれば、ディスプレイが縦長状態であるか、或いは、横長状態であるかの判別結果に基づいて前後段のサムネイル画像間の間隔を調整するので、横長状態である場合に前後段の間隔を縦長状態よりも自動的に広くさせることができる。従って、ディスプレイが横長状態である場合に２段目以降に表示中のサムネイル画像を識別し易くすることができるとともに、これらのサムネイル画像を選択し易くすることができる。【０００９】
第４の本発明による携帯情報端末は、上記構成に加え、上記サムネイルメニュー表示手段が、ユーザ操作に基づいて、最前段に表示中のサムネイル画像をサイズ調整するように構成される。この様な構成によれば、ユーザ操作によって最前段に表示中のサムネイル画像を縮小させられるので、必要に応じて２段目以降に表示中のサムネイル画像を識別し易くすることができるとともに、これらのサムネイル画像を選択し易くすることができる。【００１０】
第５の本発明による携帯情報端末は、上記構成に加え、上記サムネイルメニュー表示手段が、共通の背景プレートをそれぞれ付加して各サムネイル画像を表示する際に、最前段に表示中のサムネイル画像については上記背景プレートの中央に配置し、２段目以降に表示中のサムネイル画像については上記背景プレートの端部に寄せて配置するように構成される。この様な構成によれば、共通の背景プレートをそれぞれ付加して各サムネイル画像が表示されるので、縦長のサムネイル画像同士を前後段に表示する際や、横長のサムネイル画像同士を前後段に表示する際の前後段の階層の識別性を向上させることができる。その際、２段目以降に表示中のサムネイル画像については背景プレートの端部に寄せて配置されるので、２段目以降に表示中のサムネイル画像を識別し易くすることができる。【００１１】
第６の本発明による携帯情報端末は、上記構成に加え、上記サムネイル選択手段によって選択されたサムネイル画像をフォーカス表示するフォーカス表示手段を備え、上記サムネイルメニュー表示手段が、フォーカス表示されたサムネイル画像が手前側に来るように視点を変更するように構成される。この様な構成によれば、フォーカス表示されたサムネイル画像が手前側に来るように視点が変更されるので、フォーカス表示中のサムネイル画像の背後に表示されているサムネイル画像を識別し易くすることができるとともに、これらのサムネイル画像を選択し易くすることができる。【００１２】
第７の本発明による携帯情報端末は、仮想空間内に多数のサムネイル画像を同一方向に向けて立体配置し、これらのサムネイル画像を斜め方向から見ているようにメニュー画面上に表示するサムネイルメニュー表示手段と、上記メニュー画面に対するタッチ操作を検出するタッチ操作検出手段と、上記タッチ操作の検出結果に基づいて、サムネイル画像を選択するサムネイル選択手段とを備えて構成される。【００１３】
この様な構成によれば、仮想空間内に同一方向に向けて立体配置されたサムネイル画像が斜め方向から見ているようにメニュー画面上に表示されるので、多数のサムネイル画像からなるメニュー画面を見易くすることができる。さらに、メニュー画面に対してタッチ操作することによって所望のサムネイル画像を選択することができるので、最前段だけでなく２段目以降に表示中のサムネイル画像を直接に選択することができる。従って、メニュー画面上でサムネイル画像を選択する際の操作性を向上させることができる。
【発明の効果】
【００１４】
本発明による携帯情報端末によれば、仮想空間内に同一方向に向けて立体配置されたサムネイル画像が斜め方向から見ているようにメニュー画面上に表示されるので、多数のサムネイル画像からなるメニュー画面を見易くすることができる。さらに、最前段だけでなく２段目以降に表示中のサムネイル画像を直接に選択することができるので、メニュー画面上でサムネイル画像を選択する際の操作性を向上させることができる。
【発明を実施するための最良の形態】
【００１５】
実施の形態１．
図１及び図２は、本発明の実施の形態１による携帯情報端末の概略構成の一例を示した斜視図であり、携帯情報端末の一例として折り畳み式の携帯電話機１が示されている。図１には、表示筐体２のディスプレイ３を縦長状態にした様子が示され、図２には、表示筐体２を回転させてディスプレイ３を横長状態にした様子が示されている。【００１６】
この携帯電話機１は、ディスプレイ３を有する薄型の表示筐体２と、操作キー６，７を有する薄型の操作筐体５と、表示筐体２及び操作筐体５を回転可能に連結するヒンジ部４とからなる。【００１７】
ディスプレイ３は、表示筐体２の一主面に配置され、多数のサムネイル画像からなるメニュー画面などが矩形形状の表示領域内に表示される。表示筐体２には、ディスプレイ３を縦長状態にした場合にヒンジ部４とは反対側となる端部に受話用レシーバ１０が配置されている。【００１８】
操作筐体５には、テンキー、オンフックキー、オフフックキーなどの操作キー６と、方向キー７と、タッチパッド８と、送話用マイクロホン９が配置されている。操作キー６及び方向キー７は、接点開閉式スイッチによって構成される入力装置である。方向キー７は、上下左右の押圧部位に応じて異なる入力が可能な操作キーとなっている。【００１９】
タッチパッド８は、矩形形状のパッド面を有し、パッド面を指で触ることによってメニュー画面上のポインタやアイコンを操作することができる入力装置である。ここでは、指を近付けた際の静電容量の変化に基づいて、タッチ操作を検出する静電センサーがタッチパッド８として用いられるものとする。【００２０】
携帯電話機１は、表示面及び操作面を略同一方向に向けて両筐体を展開させたオープン状態と、表示面及び操作面を対向させて両筐体を折り畳んだクローズ状態（収納状態）とが遷移可能となっている。さらに、オープン状態では、表示筐体２をヒンジ部４に対して表示面内で９０度回転させることによって、ディスプレイ３を縦長状態から横長状態に遷移させることができる。【００２１】
この携帯電話機１では、仮想空間内に多数のサムネイル画像を同一方向に向けて立体配置し、これらのサムネイル画像を斜め方向から見ているようにメニュー画面上に表示する動作が行われる。【００２２】
＜サムネイル画面＞
図３は、図１の携帯電話機１の構成例を示した図であり、縦長状態のディスプレイ３上に表示されるサムネイル画面３ａの一例が示されている。サムネイル画面３ａは、多数のサムネイル１１が配列されたメニュー画面であり、仮想空間において同一方向に向けて立体配置されたサムネイル１１が斜め方向から見ているように表示されている。【００２３】
各サムネイル１１は、画像ファイルなどのデータファイルに関連付けて作成されたサムネイル画像１２に所定の背景プレート１３を付加することによって形成された選択項目である。サムネイル画像１２は、縦長又は横長のメニュー表示用の静止画像又は動画像であり、この例では、データファイル内のカラー画像を縮小したものとなっている。【００２４】
背景プレート１３は、サムネイル画面３ａ内の各サムネイル画像１２に共通の一定形状及び一定サイズからなる定形画像であり、前後段の階層を識別し易くするためにサムネイル画像１２に付加される。例えば、単一色、この例では黒色の無地画像が背景プレート１３として用いられる。サムネイル画像１２は、背景プレート１３の中央に配置されている。【００２５】
この例では、サムネイル画像１２の左右方向（ｘ軸方向）に３個、上下方向（ｙ軸方向）に４個、奥行き方向（ｚ軸方向）に４個のサムネイル１１が配列され、合計３×４×４＝４８個のサムネイル１１が表示されている。【００２６】
各サムネイル１１は、この様に立体配置され、サムネイル画像１２の正面方向とは異なる斜め方向の視点からこれらのサムネイル１１を見ているように表示（３Ｄ表示）されている。ここでは、右側のサムネイル１１が手前側となるように表示されている。【００２７】
所定の操作キー６を操作すれば、表示中のサムネイル１１を仮想空間内で前後方向、すなわち、ｚ軸方向に移動させてサムネイル画面３ａをスクロールさせることができる。【００２８】
このサムネイル画面３ａ上には、タッチパッド８に対するスライド操作によって移動させることができるポインタ１４が表示されている。ポインタ１４は、サムネイル画面３ａ内を移動させることができる。【００２９】
タッチパッド８に対するタップ操作や決定キーの操作によって、ポインタ１４の位置のサムネイル１１を選択することができる。つまり、サムネイル画面３ａ内に表示中の任意のサムネイル１１を選択することができる。選択されたサムネイル１１は、非選択状態のサムネイル１１とは異なる表示態様でフォーカス表示される。【００３０】
最前段に表示中のサムネイル１１は、方向キー７を操作することによって選択することもできる。いずれかのサムネイル１１が選択されている状態で決定キーを操作すれば、選択状態にあるサムネイル１１に対応付けられているデータファイルを開くことができ、例えば、画像ファイルを閲覧することができる。【００３１】
図４は、図１の携帯電話機１の構成例を示したブロック図であり、携帯電話機１内の機能構成の一例が示されている。この携帯電話機１は、ディスプレイ３及びタッチパッド８の他に、サムネイル画像記憶部２１、サムネイルメニュー表示部２２、スライド操作検出部２３、ポインタ表示部２４、決定操作検出部２５、サムネイル選択部２６、フォーカス表示部２７、メニュー画面スクロール部２８及び端末状態判別部２９を備えて構成される。【００３２】
サムネイルメニュー表示部２２は、ディスプレイ３を制御し、複数のサムネイル１１が配列されたサムネイル画面３ａを表示する動作を行っている。具体的には、仮想空間内に複数のサムネイル１１を同一方向に向けて立体配置し、これらのサムネイル１１を斜め方向の視点から見ているようにサムネイル画面３ａ上に表示する動作が行われる。【００３３】
サムネイル画面３ａに表示するためのサムネイル１１は、データファイルに対応付けて予め作成され、サムネイル画像記憶部２１に保持されている。【００３４】
タッチパッド８は、ユーザが操作することによって電極の静電容量が変化する現象を利用してパッド面に対するタッチ操作を検出する静電容量式のタッチセンサーである。ここでは、タッチ操作の開始及び終了のタイミングと、パッド面内における操作位置が検出されるものとする。【００３５】
スライド操作検出部２３は、タッチパッド８の出力に基づいて、パッド面に対するスライド操作を検出する動作を行っている。ポインタ表示部２４は、サムネイル画面３ａ上にポインタ１４を表示し、スライド操作検出部２３による検出結果に基づいて、サムネイル画面３ａ上でポインタ１４を移動させる動作を行っている。つまり、パッド面上で上下左右方向に指をスライドさせることによって、ポインタ１４を所望の方向に移動させることができる。【００３６】
ここで、タッチパッド８上の操作位置とは、指をタッチパッド８に接触させた際の接触位置のことであり、接触状態を保持したまま操作位置が変化すれば、スライド操作されたと判断される。ここでいう接触状態には、指及びタッチパッド８が実際に当接している場合だけでなく、指がタッチパッド８から僅かに離れている場合が含まれるものとする。【００３７】
決定操作検出部２５は、タッチパッド８のパッド面に対するタップ操作や決定キーの操作を検出する動作を行っている。タップ操作とは、指をスライドさせることなく行われるタッチ操作のことであり、タッチ操作中に指をスライドさせるスライド操作とは区別される。【００３８】
サムネイル選択部２６は、決定操作検出部２５による検出結果に基づいて、ポインタ１４が位置するサムネイル１１を選択する動作を行っている。フォーカス表示部２７は、ディスプレイ３を制御し、サムネイル選択部２６によって選択されたサムネイル１１を所定の表示態様でフォーカス表示する動作を行っている。【００３９】
メニュー画面スクロール部２８は、表示中のサムネイル１１を仮想空間内で前後方向、すなわち、ｚ軸方向に移動させてサムネイル画面３ａをスクロールさせる動作を行っている。ここでは、サムネイル画面３ａのスクロールが、所定の操作キー６の操作に基づいて行われるものとする。【００４０】
サムネイルメニュー表示部２２では、最後段のサムネイル１１の背後に最前段のサムネイル１１を表示する動作が行われる。これにより、最後段付近のサムネイル１１が表示されている状態から最前段のサムネイル１１を表示させる際の操作性を向上させることができる。【００４１】
端末状態判別部２９は、ディスプレイ３が縦長状態であるか、或いは、横長状態であるかを判別する動作を行っている。サムネイルメニュー表示部２２では、端末状態判別部２９による判別結果に基づいて、前後段のサムネイル１１間の間隔を調整する動作が行われる。具体的には、ディスプレイ３が横長状態である場合の前後段のサムネイル１１間の間隔を縦長状態の場合よりも広くする制御が行われる。これにより、横長状態である場合に前後段の間隔を縦長状態よりも自動的に広くさせることができる。従って、ディスプレイ３が横長状態である場合に２段目以降に表示中のサムネイル１１を識別し易くすることができるとともに、これらのサムネイル１１を選択し易くすることができる。【００４２】
ディスプレイ３が縦長状態であるか、或いは、横長状態であるかは、例えば、重力を感知する重力センサーを用いて、表示筐体２が立てた状態であるか、或いは、寝かせた状態であるかを検知することによって識別することができる。或いは、ホール素子などの磁気センサーを用いてヒンジ部４に対する表示筐体２の回転を検知することによって識別することができる。【００４３】
＜サムネイル画面のスクロール＞
図５（ａ）〜（ｃ）は、図１の携帯電話機１におけるサムネイル画面３ａの表示時の動作の一例を模式的に示した説明図であり、スクロール時の画面遷移の様子が示されている。所定の操作キー６を操作すれば、表示中のサムネイル１１を仮想空間内でｚ軸方向に移動させてサムネイル画面３ａをスクロールさせることができる。【００４４】
例えば、仮想空間内で、１段目にサムネイル「Ａ１」〜「Ａ１２」の１２個のサムネイル１１が配置され、２段目にサムネイル「Ｂ１」〜「Ｂ１２」の１２個のサムネイル１１が配置され、３段目にサムネイル「Ｃ１」〜「Ｃ６」及びダミーのサムネイル１１が配置されている場合を考える。そして、これらのサムネイルのうち、２つの階層だけがサムネイル画面３ａ上に表示される場合に、１段目及び２段目のサムネイル１１が表示されている状態が図５（ａ）に示されている。【００４５】
この状態でサムネイル画面３ａをｚ軸方向に１階層分だけスクロールさせれば、２段目及び３段目のサムネイル１１が表示された図５（ｂ）の状態に遷移する。さらに、サムネイル画面３ａをｚ軸方向に１階層分だけスクロールさせれば、３段目及び１段目のサムネイル１１が表示された図５（ｃ）の状態に遷移する。この様に、最後段のサムネイル「Ｃ１」〜「Ｃ６」の背後に最前段のサムネイル「Ａ１」〜「Ａ１２」を表示することにより、最後段付近のサムネイル１１が表示されている状態から最前段のサムネイル１１を表示させる際の操作性を向上させることができる。【００４６】
図６は、図１の携帯電話機１におけるサムネイル画面３ａの表示時の動作の一例を模式的に示した説明図であり、ディスプレイ３を横長状態にした場合のサムネイル画面３ａの様子が示されている。ディスプレイ３が縦長状態であるか、或いは、横長状態であるかの判別結果に基づいて、前後段のサムネイル１１間の間隔が調整される。【００４７】
すなわち、ディスプレイ３が横長状態である場合の前後段のサムネイル１１間の間隔Ｄ２を縦長状態の場合の間隔Ｄ１よりも広くする制御が行われる。これにより、横長状態である場合に前後段の間隔を縦長状態よりも自動的に広くさせることができる。従って、ディスプレイ３が横長状態である場合に２段目以降に表示中のサムネイル１１を識別し易くすることができるとともに、これらのサムネイル１１を選択し易くすることができる。【００４８】
また、前後段のサムネイル１１間の間隔を調整するだけでなく、ｘ，ｙ，ｚ軸方向のサムネイル１１の個数、サムネイル１１のサイズを端末状態によって調整しても良い。【００４９】
本実施の形態によれば、仮想空間内に同一方向に向けて立体配置されたサムネイル１１が斜め方向の視点から見ているようにサムネイル画面３ａ上に表示されるので、多数のサムネイル１１からなるメニュー画面を見易くすることができる。さらに、パッド面に対してスライド操作することによってポインタ１４を所望の位置に移動させて、決定操作すれば、ポインタ１４が位置するサムネイル１１を選択することができるので、最前段だけでなく２段目以降に表示中のサムネイル１１を直接に選択することができる。従って、メニュー画面上でサムネイル１１を選択する際の操作性を向上させることができる。【００５０】
実施の形態２．
実施の形態１では、サムネイル画面３ａ上のポインタ１４を移動させてサムネイル１１が選択される場合の例について説明した。これに対して、本実施の形態では、サムネイル画面３ａを直接にタッチ操作することによってサムネイル１１が選択される場合について説明する。【００５１】
図７は、本発明の実施の形態２による携帯情報端末３０の一構成例を示したブロック図である。この携帯情報端末３０は、図４の携帯電話機１と比較すれば、タッチパッド８、スライド操作検出部２３、ポインタ表示部２４、決定操作検出部２５及びサムネイル選択部２６に代えて、タッチパネル３１、サムネイル選択部３２及びスライド操作検出部３３を備えている点で異なる。【００５２】
タッチパネル３１は、指を近付けた際の静電容量の変化に基づいて、ディスプレイ３の表示面に対するタッチ操作を検出する静電センサーであり、サムネイル画面３ａに対するタッチ操作を検出するタッチ操作検出手段となっている。【００５３】
サムネイル選択部３２は、タッチパネル３１によるタッチ操作の検出結果に基づいて、サムネイル１１を選択する動作を行っている。具体的には、タッチ操作された位置に表示中のサムネイル１１を選択する動作が行われる。これにより、サムネイル画面３ａに対してタッチ操作することによって所望のサムネイル１１を選択することができるので、最前段だけでなく２段目以降に表示中のサムネイル１１を直接に選択することができる。【００５４】
スライド操作検出部３３は、タッチパネル３１の出力に基づいて、ディスプレイ３の表示面上におけるスライド操作を検出する動作を行っている。このサムネイルメニュー表示部２２では、上記スライド操作に基づいて、最前段に表示中のサムネイル１１をサイズ調整する動作が行われる。【００５５】
図８は、図７の携帯情報端末３０におけるサムネイル画面３ａの表示時の動作の一例を模式的に示した説明図であり、表示面上におけるスライド操作によって１段目に表示中のサムネイル１１が縮小される様子が示されている。【００５６】
サムネイル画面３ａ内に１段目及び２段目のサムネイル１１が表示されている状態で、サムネイル画面３ａ上で指を所定方向にスライドさせれば、１段目のサムネイル１１を縮小させることができる。これにより、スライド操作によって最前段に表示中のサムネイル１１を縮小させられるので、必要に応じて２段目以降に表示中のサムネイル１１を識別し易くすることができるとともに、これらのサムネイル１１を選択し易くすることができる。【００５７】
１段目のサムネイル１１を縮小させる方法としては、形状を一定に保ったまま画像サイズを小さくする方法、或いは、サムネイル１１の奥側の辺を回転軸としてサムネイル１１を手前側に所定量だけ回転させる方法などが考えられる。【００５８】
なお、実施の形態１及び２では、共通の背景プレート１３を各サムネイル画像１２に付加する際に、サムネイル画像１２が背景プレート１３の中央に配置される場合の例について説明したが、本発明はこれに限られるものではない。例えば、２段目以降のサムネイル画像１２を識別し易くするために、２段目以降に表示中のサムネイル画像１２については背景プレート１３の端部に寄せて配置するようなものであっても良い。【００５９】
図９は、本発明のその他の実施の形態による携帯情報端末の構成例を示した図であり、２段目のサムネイル画像１２を背景プレート１３の端部に配置させたサムネイル画面３ａが示されている。【００６０】
共通の背景プレート１３をそれぞれ付加して各サムネイル画像１２を表示する際、最前段に表示中のサムネイル画像１２は、背景プレート１３の中央に配置され、２段目以降に表示中のサムネイル画像１２は、背景プレート１３の端部に配置される。その際、２段目以降のサムネイル画像１２は手前側に配置される。【００６１】
これにより、２段目以降に表示中のサムネイル画像１２については背景プレート１３の端部に寄せて配置されるので、２段目以降に表示中のサムネイル画像１２を識別し易くすることができる。【００６２】
また、実施の形態１及び２では、選択状態にあるサムネイル１１がフォーカス表示される場合の例について説明したが、本発明はこれに限られるものではない。例えば、フォーカス表示されたサムネイル１１が手前側に来るように視点を変更するようなものであっても良い。【００６３】
図１０（ａ）及び（ｂ）は、本発明のその他の実施の形態による携帯情報端末の構成例を示した図であり、選択状態にあるサムネイル１１が右端に存在するか、或いは、左端に存在するかに応じて視点を異ならせて表示されるサムネイル画面３ａが示されている。図１０（ａ）には、最前段の右端のサムネイル１１が選択され、フォーカス表示４０されている場合が示されている。図１０（ｂ）には、最前段の左端のサムネイル１１が選択され、フォーカス表示４０されている場合が示されている。【００６４】
最前段の右端のサムネイル１１が選択され、フォーカス表示４０されている場合、右端のサムネイル１１が最も手前側となるように表示される。これに対して、最前段の左端のサムネイル１１が選択され、フォーカス表示４０されている場合には、左端のサムネイル１１が最も手前側となるように視点が変更される。これにより、フォーカス表示されたサムネイル１１が手前側に来るように視点が変更されるので、フォーカス表示中のサムネイル１１の背後に表示されているサムネイル１１を識別し易くすることができるとともに、これらのサムネイル１１を選択し易くすることができる。【００６５】
この出願は、日本国における以下の特許出願、２００８年１０月３０日の特許出願（特願２００８-２７９８９１）に基づくパリ条約による優先権を主張し、当該特許出願の全ての内容を参照してここに引用する。
【図面の簡単な説明】
【００６６】
【図１】本発明の実施の形態１による携帯情報端末の概略構成の一例を示した斜視図であり、ディスプレイ３を縦長状態にした携帯電話機１が示されている。
【図２】本発明の実施の形態１による携帯情報端末の概略構成の一例を示した斜視図であり、ディスプレイ３を横長状態にした携帯電話機１が示されている。
【図３】図１の携帯電話機１の構成例を示した図であり、縦長状態のディスプレイ３上に表示されるサムネイル画面３ａの一例が示されている。
【図４】図１の携帯電話機１の構成例を示したブロック図であり、携帯電話機１内の機能構成の一例が示されている。
【図５】図１の携帯電話機１におけるサムネイル画面３ａの表示時の動作の一例を模式的に示した説明図であり、スクロール時の画面遷移の様子が示されている。
【図６】図１の携帯電話機１におけるサムネイル画面３ａの表示時の動作の一例を模式的に示した説明図であり、横長状態のサムネイル画面３ａの様子が示されている。
【図７】本発明の実施の形態２による携帯情報端末３０の一構成例を示したブロック図である。
【図８】図７の携帯情報端末３０におけるサムネイル画面３ａの表示時の動作の一例を模式的に示した説明図であり、サムネイル１１が縮小される様子が示されている。
【図９】本発明のその他の実施の形態による携帯情報端末の構成例を示した図であり、２段目のサムネイル画像１２を端部に配置させたサムネイル画面３ａが示されている。
【図１０】本発明のその他の実施の形態による携帯情報端末の構成例を示した図であり、視点を異ならせて表示されるサムネイル画面３ａが示されている。
【符号の説明】
【００６７】
１  携帯電話機
２  表示筐体
３  ディスプレイ
３ａ  サムネイル画面
４  ヒンジ部
５  操作筐体
６  操作キー
７  方向キー
８  タッチパッド
９  送話用マイクロホン
１０  受話用レシーバ
１１  サムネイル
１２  サムネイル画像
１３  背景プレート
１４  ポインタ
２１  サムネイル画像記憶部
２２  サムネイルメニュー表示部
２３  スライド操作検出部
２４  ポインタ表示部
２５  決定操作検出部
２６  サムネイル選択部
２７  フォーカス表示部
２８  メニュー画面スクロール部
２９  端末状態判別部
３０  携帯情報端末
３１  タッチパネル
３２  サムネイル選択部
３３  スライド操作検出部
【図１】
2010050382.tif 000003
【図２】
2010050382.tif 000004
【図３】
2010050382.tif 000005
【図４】
2010050382.tif 000006
【図５】
2010050382.tif 000007
【図６】
2010050382.tif 000008
【図７】
2010050382.tif 000009
【図８】
2010050382.tif 000010
【図９】
2010050382.tif 000011
【図１０】
2010050382.tif 000012
【国際調査報告】
2010050382.tif 000013
2010050382.tif 000014
2010050382.tif 000015